(57)【特許請求の範囲】
【請求項１】
つばとクラウンから構成されるつば付き帽子であって、クラウン側部に切り欠きが設けられて、着用時に頭囲調整ベルトを締め付けた時に、切り欠き部の変形を防ぐフレームを有し、前記フレームに、多種多様なアタッチメントを装着可能なフレームと一体成型されたアタッチメント装着部を有することを特徴とするつば付き帽子。
【請求項２】
前記アタッチメント装着部に装着する、つば付き帽子のつばに眼鏡やサングラスを載せた際に掛け部を挟んで保持するホルダー形アタッチメントを有する事を特徴とする、請求項1に記載のつば付き帽子。
【請求項３】
前記フレームは、着色された樹脂原料から成型されるか、表面にメッキを施すか塗装した金属から成型される事で、フレームに多彩な色合いを持たせる事を可能とする事を特徴とする、請求項1、2に記載のつば付き帽子。
【発明の詳細な説明】
【技術分野】
【０００１】
この発明はつば付き帽子のデザインに関する。
【背景技術】
【０００２】
つば付き帽子は長年に渡り、側部のデザインが画一的であり、個性の無い物ばかりだったが、本発明のフレームにより、側部に多様な形状の切り欠き部を設ける事を可能とし、つば付き帽子側部のデザイン性を高める事を可能とする。
【発明の概要】
【発明が解決しようとする課題】
【０００３】
本発明はつば付き帽子が長年に渡り、側部のデザインが画一的であり、進歩性が無い状況を解決して、更に利便性を高めたつば付き帽子を提供する。
【課題を解決するための手段】
【０００４】
本発明は上記現状を鑑みて成されたものであり、つば付き帽子側部にフレーム構造を取設する事により、可能となった多様な形状が可能な切り欠き部と着色されたフレーム部により、デザイン性を高めた事を特徴とする。
【０００５】
前記フレームと一体成型されたアタッチメント装着部により、多種多様なアタッチメントを装着する事により、利便性を高める事を可能とする。
【０００６】
前記フレームのアタッチメント装着部に眼鏡、サングラスをつばの上に置いた際に落下させない為の眼鏡、サングラスの掛け部を挟んで保持するホルダー型アタッチメントを有する事が好ましい。
【０００７】
前記フレームを有する、フレーム式つば付き帽子の製造時の労力と時間、費用を抑えるためにフレームは十分な強度を有する素材で、一体成型された部品2点とネジだけで構成される事が好ましい。
【０００８】
前記フレームは樹脂で一体成型される場合は着色された樹脂原料を用い、金属で一体成型される場合はメッキ若しくは塗装される事が、好ましい。
【発明の効果】
【０００９】
本発明に係るフレーム式つば付き帽子は、クラウン側部に切り欠きを設けた際につば付き帽子を着用して、頭囲調整ベルトを締め付けた時にクラウン側部の切り欠き部が変形する事を切り欠き部にフレームを繞設する事により、切り欠き部の形状が変形する事を防ぎ、従来のつば付き帽子には無かった側部のデザインを可能とする。また、フレームに設けられたアタッチメント装着部に、多種多様なアタッチメントを装着する事により、つば付き帽子の利便性を高める事を可能とする。
【図面の簡単な説明】
【００１０】
【図１】本発明のフレーム式つば付き帽子の斜視図である。
【図２】本発明のフレーム式つば付き帽子側面図である。
【図３】本発明のフレーム及びアタッチメント装着部の分解斜視図である。
【図４】本発明のフレーム及びアタッチメント装着部とホルダー形アタッチメントの斜視図である。
【発明を実施するための形態】
【００１１】
本発明のフレーム5a及びアタッチメント装着部7の好適な実施形態について、図面を用いて、より具体的に説明する。図1は本発明のフレーム5aとアタッチメント装着部7を備えたフレーム式つば付き帽子の斜視図である。
【００１２】
図1に示すフレーム式つば付き帽子は着用者の頭部を覆うクラウン1とクラウン1前部下縁に縫着されたつば2とクラウン側部に設けられた切り欠き部4に繞設されたフレーム5aとフレーム5aと一体成型されたアタッチメント装着部7及び図では見えないが、フレーム5bにより、構成されている。
【００１３】
図2は本発明のフレーム5aとアタッチメント装着部7及び図では見えないが、フレーム5bを備えたフレーム式つば付き帽子の側面図である。
【００１４】
図2のクラウン1側部の切り欠き部4を従来のつば付き帽子に設けた場合、つば付き帽子を着用する際に頭囲調整ベルトを締め付けると切り欠き部が引かれて変形するが、フレーム5a及び図では見えないが、フレーム5bを切り欠き部に繞設する事により、切り欠き部の変形を防ぎ従来のつば付き帽子側部の画一的なデザインを多様化する事を可能とする。
【００１５】
図2の切り欠き部4の形状は切り欠き部4に繞設されたフレーム5a及び図では見えないが、フレーム5bの強度が、頭囲調整ベルトを締め付けた際の引く力に耐えうる限り、切り欠き部は変形しないので自由にデザイン出来る。
【００１６】
図3は本発明のフレーム5aとフレーム5aと一体成型されたアタッチメント装着部7及びフレーム5bの分解斜視図である
【００１７】
図3のフレーム5aは十分な強度を有する素材、樹脂若しくは金属により、アタッチメント装着部7と共に一体成型された構造とし、対を成すフレーム5bはフレーム式つば付き帽子を着用者が着用した際に、不快感を与えないためと転倒時の安全性を確保するために側頭部にフイットする形状にすると共に強度的に可能な限り断面を薄くする。
【００１８】
図3のフレーム5bのねじ受け部9にフレーム5aに貫設されたねじ穴8を通して、ねじ6で螺合させるが、その際に図1、図2に示されたクラウン1側部に設けられた切り欠き部4の端部周囲のクラウンを形つくる柔軟な素材を図3のフレーム5aと5bにより、重合させるが、フレーム5bに設けられた山型の凸部とフレーム5aに設けられた対を成す凹部により、クラウンを形成する柔軟な素材がフレームから、外れるのを防ぐ。
【００１９】
図3のフレーム5a及びアタッチメント装着部7とフレーム5bは金型を用いた樹脂射出成形、金属を用いる場合は鋳型を用いた鋳造若しくは削り出しで製造され、3Dプリンターで樹脂若しくは金属を積層造形して、製造される。
【００２０】
図3のフレーム5aとアタッチメント装着部7、フレーム5bは前記した様に、一体成型されるが、樹脂を用いる場合は着色された樹脂原料を用いる事により、多彩な色合いを可能とし、金属を用いる場合はメッキを施したり塗装する事により多彩な色合いを可能とし、従来のつば付き帽子側部には無かった、切り欠き部とそれを縁取る多彩な色合いを可能とする。
【００２１】
図4のアタッチメント装着部7に装着された、ホルダー形アタッチメント11はフレーム式つば付き帽子のつばの上に眼鏡やサングラスを載せた際に、掛け部を挟んで保持する事により、眼鏡やサングラスが落下する事を防ぐ。
【符号の説明】
【００２２】
1クラウン
2つば
3頭囲調整ベルト
4切り欠き部
5aアタッチメント装着部を有するフレーム
5b側頭部側フレーム
6ねじ
7アタッチメント装着部
8ねじ穴
9ねじ受け
10山型の凸部
11ホルダー形アタッチメント
【要約】
【課題】つば付き帽子が長年に渡り、側部のデザインが画一的であり、進歩性が無い状況を解決して、更に利便性を高めたフレーム式つば付き帽子を提供する。
【解決手段】つば付き帽子クラウン側部に切り欠きを設けた際に着用時に頭囲調整ベルトを締め付けた時に切り欠き部が変形する事を切り欠き部に繞設されたフレームにより防ぎ、従来のつば付き帽子には無い側部のデザインを可能とする事を特徴とし、フレームに一体成型されたアタッチメント装着部に多種多様なアタッチメントを装着する事により、利便性を高める事を特徴とするフレーム式つば付き帽子。
【選択図】図１【図１】
0006706376.tif 000002
【図２】
0006706376.tif 000003
【図３】
0006706376.tif 000004
【図４】
0006706376.tif 000005